(57)【要約】【目的】    簡便に衣類を懸架することができるハンガーの提供を目的とする。【解決手段】本発明のハンガーは、衣類の襟から衣類の内部に幅が狭くなったアームを挿入した後でボタンやレバーやフックにより衣類の懸架用アームを広げることができる機構を構成としたことを特徴とする。【選択図】  図３
2006026361.tif 000002
【特許請求の範囲】
【請求項１】
軸を中心とした回動用機構又はガイドなどによる進退用機構を構成とする衣類支持用アーム機構、及び、前述のアーム機構による開閉機能又は伸縮機能の連動作動用ボタン機構、を構成としたことを特徴とする、ハンガー。
【請求項２】
軸を中心とした回動用機構又はガイドなどによる進退用機構を構成とする衣類支持用アーム機構、及び、前述のアームの衣類支持目的用部分やハンガーを開いた又は伸ばした状態で衣類支持目的部分より下部のアーム部分以外にあるハンガー部分での構成用の前述のアーム機構による開閉機能又は伸縮機能の連動作動用レバー機構又はフック機構、を構成としたことを特徴とする、ハンガー。
【請求項３】
本発明の請求項１及び請求項２のハンガーにおいて、本発明の衣類支持用アーム機構の可動部固定用ストッパー、を構成としたことを特徴とする、ハンガー。
【請求項４】
本発明の請求項１及び請求項２に含まれる回動用タイプハンガーの両側又は片側の衣類支持用アーム部分において、アームが閉じた又は降りた状態時にアームの先端又は下側が内側に傾斜又は垂直に下がった形状のアーム、を構成としたことを特徴とする、ハンガー。
【請求項５】
本発明の請求項１及び請求項２のハンガーにおけるアーム部分又はアームを支持するハンガー本体に衣類懸架用の凸又は凹の形設構造又は形設構造物、を構成としたことを特徴とする、ハンガー。
【発明の詳細な説明】
【発明の詳細な説明】
【技術分野】
【０００１】  本発明は、衣類の懸架用ハンガーに関するものである。
【背景技術】
【０００２】  従来のハンガーでは、衣類の懸架用アームの長さが長いと襟まわりから衣類を挿入しにくく、又、衣類の懸架用アームの長さが短いと衣類の肩付近などの支持が困難となっていた。
又、従来のハンガーにおける衣類支持用アームを伸ばすタイプのものはあったが、衣類の支持用アームを手で持って伸ばすタイプのものであったために、衣類をハンガーに挿入してからアームを伸ばすことは困難であった。
【発明が解決しようとする課題】
【０００３】  本発明のハンガーは上記した問題点を解決する、ハンガーを提供することをも目的とする。
【課題を解決する為の手段】
【０００４】  上記目的を達成するため、本発明のハンガーは、軸を中心とした回動用機構又はガイドなどによる進退用機構を構成とする衣類支持用アーム機構、及び、前述のアーム機構による開閉機能又は伸縮機能の連動作動用ボタン機構、を構成としたことを特徴とする、ハンガー。
本発明のハンガーは、軸を中心とした回動用機構又はガイドなどによる進退用機構を構成とする衣類支持用アーム機構、及び、前述のアームの衣類支持目的用部分やハンガーを開いた又は伸ばした状態で衣類支持目的部分より下部のアーム部分以外にあるハンガー部分での構成用の前述のアーム機構による開閉機能又は伸縮機能の連動作動用レバー機構又はフック機構、を構成としたことを特徴とする、ハンガー。
本発明のハンガーは、本発明の請求項１及び請求項２のハンガーにおいて、本発明の衣類支持用アーム機構の可動部固定用ストッパー、を構成としたことを特徴とする。
本発明のハンガーは、本発明の請求項１及び請求項２に含まれる回動用タイプハンガーの両側又は片側の衣類支持用アーム部分において、アームが閉じた又は降りた状態時にアームの先端又は下側が内側に傾斜又は垂直に下がった形状のアーム、を構成としたことを特徴とする。
本発明のハンガーは、本発明の請求項１及び請求項２のハンガーにおけるアーム部分又はアームを支持するハンガー本体に衣類懸架用の凸又は凹の形設構造又は形設構造物、を構成としたことを特徴とする。
【作用】
【０００５】  本発明のハンガーは、軸を中心とした回動用機構又はガイドなどによる進退用機構を構成とする衣類支持用アーム機構、及び、前述のアーム機構による開閉機能又は伸縮機能の連動作動用ボタン機構、を構成としたため、ボタン又はレバーを押圧又は把握することによりアームを開閉又は伸縮することができる。
本発明のハンガーは、軸を中心とした回動用機構又はガイドなどによる進退用機構を構成とする衣類支持用アーム機構、及び、前述のアームの衣類支持目的用部分やハンガーを開いた又は伸ばした状態で衣類支持目的部分より下部のアーム部分以外にあるハンガー部分での構成用の前述のアーム機構による開閉機能又は伸縮機能の連動作動用レバー機構又はフック機構、を構成としたため、フック又はレバーを把握又はけん引することによりアームを開閉又は伸縮することができる。
本発明のハンガーは、本発明の請求項１及び請求項２のハンガーにおいて、本発明の衣類支持用アーム機構の可動部固定用ストッパー、を構成としたため、可動した衣類支持用アームを任意の位置で固定することができる。
本発明のハンガーは、本発明の請求項１及び請求項２に含まれる回動用タイプハンガーの両側又は片側の衣類支持用アーム部分において、アームが閉じた又は降りた状態時にアームの先端又は下側が内側に傾斜又は垂直に下がった形状のアーム、を構成としたため、回動用タイプハンガーの左右両開きタイプ衣類支持用アームの場合は、アームとアームの先端部分が閉じる形状のアームを構成でき、片側が回動用タイプ衣類支持アームの場合はアームを閉じた又は降ろした状態の時にアームの先端からハンガー本体までの衣類支持側が垂直又は下部に行くほど内側に絞られた形状のアームを構成することができる。
本発明のハンガーは、本発明の請求項１及び請求項２のハンガーにおけるアーム部分又はアームを支持するハンガー本体に衣類懸架用の凸又は凹の形設構造又は形設構造物、を構成としたため、任意で衣類を懸架した状態で本発明請求項１及び請求項２のアームを作動させることができる。
【実施例】
【０００６】  図１は従来のハンガー１例を示し、Ａはフック部分、Ｂは衣類支持用アーム、Ｂ’は衣類支持目的部分より下部のアーム部分、ＣのＡとＢにつながる部分をハンガー本体とした。従来のハンガーにおいて折りたたみ機構や衣類懸架用の凹凸機構や衣類懸架用の他の機能を持つものなどを構成とするものや、Ｂ’のない形状ものなどがあるが、本発明はそれらの形状の種類によって限定されるものではない。
図２は本発明請求項２及び請求項３及び請求項４のハンガー１例を示し、１はハンガー本体であり、２は２’の軸を中心とした回動用の衣類支持用アームであり、３は１の左右両側に歯車の可動用の歯を持ち１の内部において直線形状に上下方向へ伸びるガイドを有したハンガーの懸架用フックである。１の内部において３は２’に構成される円形の歯車にもう一つの歯車を介して連結される。よってこの例に記したハンガーは、直線型の歯車を１個、及び円形の歯車を左右２個ずつの４個、構成とし、３及び１をけん引することにより、２のアームが２の下部に記した矢印の方向の両側に開くハンガーである。４はアームのストッパー用ボタンである。上記の３は両側の歯の間に表と裏に貫通し３の上下方向に通るガイドを構成としガイドの任意の上部と下部にガイドの幅より広く設けられた穴を構成とするが、４がそのガイドを貫通し１のボタン側と反対側の１の面に接合し両方の接合部分の間に前述の上部と下部の穴の大きさに適合する突設した膨らみを構成としその膨らみ部分と１の接合部分の間に４のボタンを押し戻すためのスプリングを用いた機構を構成とし、４を押圧することにより４の突設部がガイドの穴からはずれ３が隣の矢印の方向に可動ができ３の上部又は下部の穴上に４の突設部が来るとストッパーがかかる請求項３の機構を備える。又、例では衣類懸架用アームは回動式となっているがフックを上下させることによりアームが横又は斜め方向にスライドする円形の歯車と直線型の歯車を複合したタイプのものなどその種類は限定されない。又、１に２のア−ム用ストッパー及び１内部に２が開くためのスプリング機構及び４をアームが開くための作動用ボタンとするなど、ハンガーの機能や構造の種類は限定されない。
図３は本発明請求項２及び請求項３及び請求項４及び請求項５のハンガー１例を示し、１’はフックと一体構成したハンガー本体である。５は、６のアーム及び６’のハンガー本体に設けられたアームの開閉機能の連動作動用レバー部を把握することにより開く、衣類支持用アームである。８は１’に設けられた請求項５の凹凸部分である。又、７及び７’及び７”は請求項３のストッパー機構一例であり、７の楔形の突起が７’の内部にある両側から７を挟み連結する楔形の突起をもつストッパー機構により固定され、７’と７”のロック解除用ボタンはクロスする左右のアーチ型アームによって連結されその７”側のアーチ型アームの間に７”のロックの解除用ボタンを押し戻すためのスプリング機構を構成としたことを特徴とする。又、左右のアームは１’内に設けられた歯車により連動して開閉されるが、開閉の方式や装置の種類は限定されない。又、５と６の間は、衣類がすべってアーム側に行かないように請求項５の段差又は凹凸を設けた構造のものである。
図４は本発明の請求項１及び請求項５のハンガー１例を示し、１”はハンガー本体の部分であり、９は進退用の衣類支持用アームである。１０は衣類支持用部分に８’の請求項５の凹凸を構成とした９と同時に伸びる衣類支持用アームである。１０の収縮時は８’が９から出た形で収納されても９に完全に衣類支持用部分が収納される形であってもその種類は限定されない。１１は押圧又は把握することにより９及び１０を作動させる請求項１のアーム機構による開閉機能又は伸縮機能の連動作動用ボタンである。よってこの図の内部構造は、１”内部に９の通過用ガイドが、９の内部に１０の通過用ガイドがあり、１１付近から１０の９との連結部付近までつながるスプリング装置を構成とし、９と１０に設けられた楔形の突起をそれぞれ連結する凹型の楔形状部分のストッパーを構成とする１１のボタンへの連結アーム及び連結アームにボタン機構を押し戻すためのスプリング機構を構成としたことを特徴とする。よって、１１を押圧することにより１０が自動的に伸びるアームのハンガーとなる。又、本発明では９がスプリング機構を構成として回動をするものなど回動運動や進退運動の組み合わせやそれらの機構の方式や形態など、その種類は限定されない。又、押圧又は把握用ボタンの構成位置や形態や方式などハンガー上であればその種類は限定されない。
図５は本発明の請求項２及び請求項３のハンガー１例であり、Ｄはガイドの役割をするフック及びハンガー本体部分であり、Ｅはブリッジ状に組まれたアームによる衣類の懸架用アーム及びハンガー本体部分、となる複数のアームによりハンガーの各部分が複合されたハンガーである。又、このハンガーは、１２のＤに構成するガイド上を可動するレバーと１３のＤに構成するガイド部分に固定されたレバーを把握することによりＥの衣類懸架用アーム部分が開き、又、１２と１３を開くことによりＥの衣類懸架用アーム部分が閉じるタイプのハンガーである。同様の効果のハンガーであればアームの組み方やアームの数やアームの形態などその種類は限定されない。
図６は図５のレバー構造の簡略図であり、１４は１２の内部に構成され、同じく１２の内部に構成される１５のスプリングにより押し出されＤのガイドにある凹みに押し込まれる楔形のストッパーである。１６は１３のＤのガイドへの固定用支点であり１７はＤの内部に構成される１３の先端である。よって、このレバーは、１２と１３を開くときに１３に下方向の力が加わり１６の支点を軸にして１７が押し上げられ、１４がＤのガイドの凹みから押し出されることによりストッパーが解除され１２も上に押し上げられることにより１２が可動することができる請求項３の機能も備えたレバー機構である。
（実施態様）
（１）本発明の請求項の形態を構成とするものであれば、ハンガーの形態などその種類は限定されない。
（２）本発明のハンガーに他の機能や構造を組み合わせるなどその種類は限定されない。
（３）アームの開閉や伸縮はスプリングなどを利用した自動式であっても、又は手動式であってもその種類は限定されない。又、レバー機構やフック機構やボタン機構など、アームの開閉や進退用機構の組み合わせなどその種類は限定されない。
（４）歯車を用いる種類の軸を中心とした回動用機構において用いられる歯車の数や円形や直線形のものなどその種類は限定されない。
（５）ハンガーは単数のものであっても、複数のハンガーを連結した複数の衣類懸架用ハンガーであっても、その種類は限定されない。
（６）請求項３のストッパーはアームが任意の位置に来るとスプリングなどを利用して自動的に固定するものであっても、手動でロックして固定するものであってもその種類は限定されない。又、ストッパーはアームが開いた状態の時に作動するものであっても、閉じた状態で作動するものであってもその作動する位置は任意であり、その種類は限定されない。
【発明の効果】
【０００７】  本発明のハンガーは、軸を中心とした回動用機構又はガイドなどによる進退用機構を構成とする衣類支持用アーム機構、及び、前述のアーム機構による開閉機能又は伸縮機能の連動作動用ボタン機構、を構成としたため、ボタン又はレバーを押圧又は把握することによりアームを開閉又は伸縮することができるために、閉じた状態又は縮小した状態のハンガーのアームに襟を通し衣類内部に挿入した後アームを広げる又は伸ばすことにより簡便に衣類を懸架できる効果を有することができる。又、アームを長く設定して肩幅の大きな衣類を懸架する際にもアームの幅が狭まるので狭い衣類の襟からハンガーを衣類内部に挿入することができる効果を有する。
本発明のハンガーは、軸を中心とした回動用機構又はガイドなどによる進退用機構を構成とする衣類支持用アーム機構、及び、前述のアームの衣類支持目的用部分やハンガーを開いた又は伸ばした状態で衣類支持目的部分より下部のアーム部分以外にあるハンガー部分での構成用の前述のアーム機構による開閉機能又は伸縮機能の連動作動用レバー機構又はフック機構、を構成としたため、フック又はレバーを把握又はけん引することによりアームを開閉又は伸縮することができるために、閉じた状態又は縮小した状態のハンガーのアームに襟を通し衣類内部に挿入した後アームを広げる又は伸ばすことにより簡便に衣類を懸架できる効果を有することができる。又、アームを長く設定して肩幅の大きな衣類を懸架する際にもアームの幅が狭まるので狭い衣類の襟からハンガーを衣類内部に挿入することができる効果を有する。
本発明のハンガーは、本発明の請求項１及び請求項２のハンガーにおいて、本発明の衣類支持用アーム機構の可動部固定用ストッパー、を構成としたため、可動した衣類支持用アームを任意の位置で固定することができるために、衣類支持用アームが懸架した衣類の重みで下の位置へ下がるのを防ぐことができ、又、衣類の挿入時用の場合は衣類がアームに引っかかったときにアームが上がるのを防ぐことができる効果を有する。
本発明のハンガーは、本発明の請求項１及び請求項２に含まれる回動用タイプハンガーの両側又は片側の衣類支持用アーム部分において、アームが閉じた又は降りた状態時にアームの先端又は下側が内側に傾斜又は垂直に下がった形状のアーム、を構成としたため、回動用タイプハンガーの左右両開きタイプ衣類支持用アームの場合は、アームとアームの先端部分が閉じる形状のアームを構成でき、片側が回動用タイプ衣類支持アームの場合はアームを閉じた又は降ろした状態の時にアームの先端からハンガー本体までの衣類支持側が垂直又は下部に行くほど内側に絞られた形状のアームを構成することができるために、本発明のハンガーの衣類支持用アームを閉じた又は下ろした状態の時に、衣類をハンガーに懸架する際に衣類支持用アームが衣類に挿入しやすくなり、又、アームの内側に衣類が入りにくくする効果を有する。
本発明のハンガーは、本発明の請求項１及び請求項２のハンガーにおけるアーム部分又はアームを支持するハンガー本体に衣類懸架用の凸又は凹の形設構造又は形設構造物、を構成としたため、任意で衣類を懸架した状態で本発明請求項１及び請求項２のアームを作動させることができるために、閉じた又は伸縮した状態のハンガーに衣類を懸架した状態で本発明請求項１及び請求項２の機能を使用することができる効果を有する。又任意で、アームを開いた又は伸ばした状態の任意のハンガー本体やアーム部分に凸又は凹を構成とすることにより本発明の請求項１及び請求項２を構成とするハンガーが従来のハンガーに存在していた効果を有することができる。
【図面の簡単な説明】
【図１】  従来のハンガー１例の図
【図２】  本発明請求項２及び３及び４のハンガー１例の図
【図３】  本発明請求項２及び３及び４及び５のハンガー１例の図
【図４】  本発明の請求項１及び５のハンガー１例の図
【図５】  本発明の請求項２のハンガー１例の図
【図６】  図５のレバー構造の簡略図
【符号の説明】
Ａ…フック部分  Ｂ…衣類支持用アーム  Ｂ’…衣類支持目的部分より下部のアーム部分  Ｃ…ハンガー本体  Ｄ…フック及びハンガー本体部分  Ｅ…衣類の懸架用アーム及びハンガー本体部分  １、１’、１”…ハンガー本体  ２…衣類支持用アーム  ２’…アーム回動用軸  ３…ハンガーの懸架用フック  ４…連動作動用ボタン  ５…衣類支持用アーム  ６…アーム部分に設置した連動作動用レバー部  ６’…ハンガー本体に設置した連動作動用レバー部  ７、７’、７”…ストッパー機構  ８…１’に設けられた請求項５の凹凸部分  ８’…請求項５の凹凸  ９、１０…衣類支持用アーム  １１…請求項１の連動作動用ボタン  １２…ガイド上を可動するレバー  １３…ガイド部分に固定されたレバー  １４…楔形ストッパー  １５…スプリング  １６…１３のＤのガイドへの固定用支点  １７…１３の先端
【図１】
2006026361.tif 000003
【図２】
2006026361.tif 000004
【図３】
2006026361.tif 000005
【図４】
2006026361.tif 000006
【図５】
2006026361.tif 000007
【図６】
2006026361.tif 000008